(57)【特許請求の範囲】
【請求項１】
２つのリムと、２つの前記リムの間を繋ぐブリッジと、それぞれの前記リムの前記ブリッジと反対側に連結されたテンプルを備えた眼鏡フレームにおいて、
前記リムは、リム部と、前記リム部の前記ブリッジと反対側の部分に、前記リム部と一体的に形成されたヨロイ部を備え、
前記リムの前記リム部は、棒状部材を略環状に曲げることにより形成されると共に、その内周面が全周に亘って略平坦に形成され、
前記リムの前記ヨロイ部は、略環状に曲げられた前記棒状部材の上端部と下端部を、前記リム部の外側に向かってそれぞれ折り曲げて、折り曲げた前記上端部と前記下端部を接合し、接合された前記上端部と前記下端部を、その長さ途中部から前記眼鏡フレームの背面側に向けて略直角に曲げることにより形成され、
前記テンプルが、前記ヨロイ部の前記リム部と反対側の端部に連結され、
２つの前記リムの前記ブリッジを挟んで互いに隣り合う部分に、活用レンズを着脱可能に取り付けるためのレンズ取付部が設けられた
ことを特徴とする眼鏡フレーム。
【請求項２】
前記活用レンズは、左右のレンズ部と、２つの前記レンズ部を繋ぐ中央部と、それぞれの前記レンズ部の前記中央部と反対側の部分に設けられた挟持部を備え、
前記中央部が前記眼鏡フレームの前記レンズ取付部に保持されて、前記挟持部が前記眼鏡フレームの前記ヨロイ部を挟持することにより、前記活用レンズが前記眼鏡フレームに取り付けることができる
ことを特徴とする請求項１に記載の眼鏡フレーム。
【発明の詳細な説明】
【技術分野】
【０００１】
本発明は、遠視や近視、乱視における結像位置の異常を矯正するための眼鏡や遠近両用眼鏡、老眼鏡等に用いられる眼鏡フレームに関するものである。
【背景技術】
【０００２】
図７は、従来の眼鏡フレームについて説明するために参照する図である。
【０００３】
従来の眼鏡フレーム２は、図７（ａ）に示すように、左右のレンズ３をそれぞれ保持する２つのリム４と、２つのリム４の間を繋ぐブリッジ６と、それぞれのリム４のブリッジ６との接合部の下方に設けられた鼻パッド８と、それぞれのリム４のレンズ３を挟んだブリッジ６と反対側の部分に設けられたヨロイ１０と、ヨロイ１０のリム４と反対側の端部に、丁番１３を介して連結された（図７（ｂ）参照）テンプル１２を備えていた（例えば、特許文献１参照）。
【０００４】
また、図７（ａ）に示すような従来の眼鏡フレームの、２つのリムのブリッジを挟んで互いに隣り合う部分に、補助レンズ（図４（ａ）及び（ｂ）参照）を着脱可能に取り付けるための取付部材（レンズ取付部）が設けられた眼鏡フレームが、本願の出願人により提案されていた（特許文献２参照）。
【０００５】
そして、このような従来の眼鏡フレーム２のリム４とヨロイ１０の接合部には、図７（ｂ）に示すように、リム４に保持されているレンズ３がリム４から外れないように固定するためのリムロック１４が設けられていた。
【０００６】
リムロック１４は、図７（ｂ）に示すように、上下に重ねられた板状の上板部材１４ａと下板部材１４ｂを備え、図７（ｃ）に示すように、上板部材１４ａには貫通孔１４ｃが、下板部材１４ｂにはネジ孔１４ｄが、それぞれの板厚方向（図中上下方向）に貫通して形成されていた。
【０００７】
そして、従来の眼鏡フレーム２のリム４は、図７（ｃ）に示すように、レンズ３を保持するために略環状に形成されると共に、そのレンズ３を挟んだブリッジ６と反対側の部分が切断されており、このリム４の切断部の上側端部４ａには、ヨロイ１０とリムロック１４の上板部材１４ａが接合され、上記切断部の下側端部４ｂには、リムロック１４の下板部材１４ｂが接合されていた。
【０００８】
そして、上板部材１４ａの貫通孔１４ｃと下板部材１４ｂのネジ孔１４ｄが連通するように、上板部材１４ａと下板部材１４ｂを上下に重ねて配置し、ビス１５のオネジ部が、上板部材１４ａの貫通孔１４ｃに挿通されて、下板部材１４ｂのネジ孔１４ｄのメネジ部にネジ締結されることにより、リムロック１４の上板部材１４ａと下板部材１４ｂが結合されていた。
【０００９】
このような従来の眼鏡フレーム２のリム４にレンズ３を保持させるには、先ず、ビス１５を緩めて外し、リムロック１４の上板部材１４ａと下板部材１４ｂの間隔、すなわち、リム４の切断部の間隔を広げて、広げられたリム４の内側にレンズ３を配置する。
【００１０】
そして、ビス１５を元に戻して、リムロック１４の上板部材１４ａと下板部材１４ｂが接近するようにビス１５を締め付けることにより、レンズ３がリム４から外れないように固定されていた。
【００１１】
このとき、リム４の内周面には、断面がＶ字状又はＵ字状の溝（図示せず）が全周に亘って形成されており、レンズ３の外周部がこの溝に沿ってその内側に配置されることにより、レンズ３の位置が眼鏡フレーム２の前面又は背面側に移動して、レンズ３がリム４から外れないようになっていた。
【先行技術文献】
【特許文献】
【００１２】
【特許文献１】特開２０００−２２７５８０号公報
【特許文献２】特許第５１２１０７３号公報
【発明の概要】
【発明が解決しようとする課題】
【００１３】
しかしながら、上述したような従来の眼鏡フレーム２では、レンズを交換して１つの眼鏡フレームを様々な用途の眼鏡として使用することが難しいという問題もあった。
【００１４】
すなわち、従来の眼鏡フレーム２は、リム４に保持されたレンズ３を取り外して別のレンズ３に交換する場合、精密ドライバー等を使って、非常に小さなビス１５を緩めたり締め付けたりしなければならず、その作業は非常に煩雑なものとなっていたため、眼鏡の利用者はレンズの交換を気軽に行うことはできなかった。
【００１５】
その一方で、例えば、拡大鏡やサングラス等のように、眼鏡の用途によっては、必要に応じてレンズの取り外しや交換が容易にできた方が望ましい場合もあり、そのような場合、従来は、それぞれの用途に応じた眼鏡を別に作成しなければならなかった。
【００１６】
また、そのような従来の眼鏡フレーム２では、眼鏡フレームの部品点数が多くなって、眼鏡フレームの製造工程が複雑になり、製造コストが増加するという問題もあった。
【００１７】
すなわち、従来の眼鏡フレーム２は、レンズ３をリム４に保持するために、それぞれのリム４にリムロック１４を設ける必要があった。
【００１８】
そして、そのためには、ヨロイ１０や上板部材１４ａ、下板部材１４ｂ、ビス１５等の非常に小さな部品を製造してリム４に取り付ける必要があるため、その分、眼鏡フレームの部品点数が多くなって、製造工程が複雑なものになっていた。
【００１９】
特に、上述したような、レンズの取り外しや交換が容易にできた方が望ましいような用途の場合は、リムロック１４自体がそのような用途を想定していないため、眼鏡フレーム２にリムロック１４を設けたり、リム４の内周面にレンズ３を保持するための溝を形成しても、それ自体が無駄になってしまうおそれがあった。
【００２０】
そこで本発明は、上記問題点に鑑みて、レンズを交換して様々な用途の眼鏡として用いることができると共に、部品点数を少なくして、製造工程を簡略化し、製造コストを低減することができる眼鏡フレームを提供することを課題とするものである。
【課題を解決するための手段】
【００２１】
本発明による眼鏡フレームは、上記課題を解決するために、
２つのリムと、２つの前記リムの間を繋ぐブリッジと、それぞれの前記リムの前記ブリッジと反対側に連結されたテンプルを備えた眼鏡フレームにおいて、
前記リムは、リム部と、前記リム部の前記ブリッジと反対側の部分に、前記リム部と一体的に形成されたヨロイ部を備え、
前記リムの前記リム部は、棒状部材を略環状に曲げることにより形成されると共に、その内周面が全周に亘って略平坦に形成され、
前記リムの前記ヨロイ部は、略環状に曲げられた前記棒状部材の上端部と下端部を、前記リム部の外側に向かってそれぞれ折り曲げて、折り曲げた前記上端部と前記下端部を接合し、接合された前記上端部と前記下端部を、その長さ途中部から前記眼鏡フレームの背面側に向けて略直角に曲げることにより形成され、
前記テンプルが、前記ヨロイ部の前記リム部と反対側の端部に連結され、
２つの前記リムの前記ブリッジを挟んで互いに隣り合う部分に、活用レンズを着脱可能に取り付けるためのレンズ取付部が設けられた
ことを特徴とするものである。
【００２２】
また、本発明による眼鏡フレームは、
前記活用レンズは、左右のレンズ部と、２つの前記レンズ部を繋ぐ中央部と、それぞれの前記レンズ部の前記中央部と反対側の部分に設けられた挟持部を備え、
前記中央部が前記眼鏡フレームの前記レンズ取付部に保持されて、前記挟持部が前記眼鏡フレームの前記ヨロイ部を挟持することにより、前記活用レンズが前記眼鏡フレームに取り付けることができる
ことを特徴とするものである。
【発明の効果】
【００２３】
このような本発明の眼鏡フレームによれば、
２つのリムと、２つの前記リムの間を繋ぐブリッジと、それぞれの前記リムの前記ブリッジと反対側に連結されたテンプルを備えた眼鏡フレームにおいて、
前記リムは、リム部と、前記リム部の前記ブリッジと反対側の部分に、前記リム部と一体的に形成されたヨロイ部を備え、
前記リムの前記リム部は、棒状部材を略環状に曲げることにより形成されると共に、その内周面が全周に亘って略平坦に形成され、
前記リムの前記ヨロイ部は、略環状に曲げられた前記棒状部材の上端部と下端部を、前記リム部の外側に向かってそれぞれ折り曲げて、折り曲げた前記上端部と前記下端部を接合し、接合された前記上端部と前記下端部を、その長さ途中部から前記眼鏡フレームの背面側に向けて略直角に曲げることにより形成され、
前記テンプルが、前記ヨロイ部の前記リム部と反対側の端部に連結され、
２つの前記リムの前記ブリッジを挟んで互いに隣り合う部分に、活用レンズを着脱可能に取り付けるためのレンズ取付部が設けられたことにより、
レンズを交換して様々な用途の眼鏡として用いることができると共に、部品点数を少なくして、製造工程を簡略化し、製造コストを低減することができる。
【図面の簡単な説明】
【００２４】
【図１】本発明の一実施の形態に係る眼鏡フレーム２２を示す図であって、図１（ａ）はその正面図であり、図１（ｂ）は眼鏡フレーム２２のリム２４のヨロイ部２４ｂの周辺を拡大して背面側から見た拡大斜視図であり、図１（ｃ）は図１（ａ）におけるＡ−Ａ線矢視断面図である。
【図２】図１に示す眼鏡フレーム２２のリム２４が形成される手順を説明するための概略図である。
【図３】図１に示す眼鏡フレーム２２のブリッジ２６の周辺を拡大して示す図であって、図３（ａ）はその拡大正面図であり、図３（ｂ）は図３（ａ）におけるＢ−Ｂ線矢視断面図である。
【図４】補助レンズ３０を示す図であって、図４（ａ）はその正面図であり、図４（ｂ）はその平面図であり、図４（ｃ）は補助レンズ３０が取り付けられた眼鏡フレーム２２の正面図である。
【図５】活用レンズ４０を示す図であって、図５（ａ）はその正面図であり、図５（ｂ）はその平面図であり、図５（ｃ）は活用レンズ４０の挟持部４１の周辺を拡大した拡大斜視図である。
【図６】活用レンズ４０が取り付けられた眼鏡フレーム２２を示す図であって、図６（ａ）はその正面図であり、図６（ｂ）はその挟持部４１の周辺を拡大して背面側から見た拡大斜視図である。
【図７】従来の眼鏡フレーム２を示す図であり、図７（ａ）はその背面側から見た斜視図であり、図７（ｂ）は眼鏡フレーム２のヨロイ１０の周辺を拡大して背面側から見た拡大斜視図であり、図７（ｃ）は眼鏡フレーム２のリムロック１４の構造を説明するための拡大背面図である。
【発明を実施するための形態】
【００２５】
以下、本発明に係る眼鏡フレームを実施するための形態について、図面に基づいて具体的に説明する。
【００２６】
図１ないし図６は、本発明の一実施の形態に係る眼鏡フレーム２２について説明するために参照する図である。なお、図７に示した従来の眼鏡フレーム２と同様の部分には、一部を除き、同じ符号を付して説明するものとする。
【００２７】
本実施の形態に係る眼鏡フレーム２２は、図１（ａ）に示すように、２つのリム２４と、２つのリム２４の間を繋ぐブリッジ２６と、それぞれのリム２４のブリッジ２６と反対側（図中左右両側）の部分に連結されたテンプル２８を備えている。
【００２８】
眼鏡フレーム２２のリム２４は、図１（ａ）に示すように、略環状に形成されたリム部２４ａと、リム部２４ａのブリッジ２６と反対側の部分に、リム部２４ａと一体的に形成されたヨロイ部２４ｂを備えている。
【００２９】
リム２４のリム部２４ａは、図１（ｃ）に示すように、その断面形状が略四角形に形成されているため、リム部２４ａの内周面は全周に亘って略平坦に形成されている。
【００３０】
リム２４のヨロイ部２４ｂは、図１（ｂ）に示すように、リム部２４ａのブリッジ２６と反対側の部分から、リム部２４ａの外側に向けて略水平に伸びる水平部２４ｃと、水平部２４ｃのリム部２４ａと反対側の端部から略直角に曲げられて、眼鏡フレーム２２の背面側に向けて伸びるテンプル取付部２４ｄを備えている。
【００３１】
そして、リム２４のヨロイ部２４ｂのリム部２４ａと反対側の端部、すなわち、ヨロイ部２４ｂのテンプル取付部２４ｄの水平部２４ｃと反対側の端部に、図７（ａ）に示す従来の眼鏡フレーム２と同じ様に、丁番２９を介してテンプル２８が連結されている。
【００３２】
このようなリム２４は、図２（ａ）に示すように、断面形状が略四角形の棒状部材２５を略環状に曲げることによりリム部２４ａが形成され、図２（ｂ）に示すように、その棒状部材２５の上端部２５ａと下端部２５ｂを、リム部２４ａの外側（図中左側）に向かってそれぞれ折り曲げ、図２（ｃ）に示すように、折り曲げた上端部２５ａと下端部２５ｂを上下に重ねて接着や溶接等により接合し、図２（ｄ）に示すように、接合された上端部２５ａと下端部２５ｂを、その長さ途中部から眼鏡フレーム２２の背面側に向けて略直角に曲げることにより、ヨロイ部２４ｂ及びその各部（水平部２４ｃとテンプル取付部２４ｄ）が形成されている。
【００３３】
眼鏡フレーム２２のブリッジ２６は、図３（ａ）に示すように、２つのリム２４を繋ぐように、水平方向（図中左右方向）に伸びる帯板状又は棒状に形成され、ブリッジ２６の長さ方向（図中左右方向）の両端部には、ブリッジ２６と一体的に形成されたレンズ取付部２７がそれぞれ設けられている。
【００３４】
レンズ取付部２７は、所定の長さ及び幅を有する帯板状又は棒状の部材を、その長さ途中の複数の位置で折り曲げることにより形成されており、図３（ｂ）に示すように、ブリッジ２６の下部から下方に伸びる下垂部２７ａと、下垂部２７ａの下端部から略直角に折り曲げられて、眼鏡フレーム２２の前面側（図中右側）に向けて伸びる底板部２７ｂと、底板部２７ｂの下垂部２７ａと反対側の端部からから略直角に折り曲げられて上方に伸びる先端部２７ｃを備えている。
【００３５】
このようなブリッジ２６及びレンズ取付部２７は、一枚の板状の部材の上に、ブリッジ２６とレンズ取付部２７を構成する各部（下垂部２７ａ、底板部２７ｂ、先端部２７ｃ）を平面的かつ連続的に配置して、これらを一体的に切り出し、切り出した部材をその所定の位置で折り曲げることにより形成されている。
【００３６】
そして、図３（ｂ）に示すように、ブリッジ２６の両端部と、そこから下方に伸びるレンズ取付部２７の下垂部２７ａの図中左側の面を、２つのリム２４のそれぞれのリム部２４ａのヨロイ部２４ｂと反対側の部分の前側の面（図中右側の面）に接触させ、その接触部を接着や溶接等によって接合することにより、２つのリム２４が連結されている。
【００３７】
それにより、２つのレンズ取付部２７が、２つのリム２４のブリッジ２６を挟んで互いに隣り合う部分の、ブリッジ２６との接合部の下方かつ眼鏡フレームの２２の前面側の位置に設けられ、眼鏡フレーム２２を横方向（図３（ｂ）の紙面に垂直方向）から見たときに、レンズ取付部２７の略コ字状の凹部２７ｄが、眼鏡フレーム２２の前面側（図中右側）の図中上方に開放されるようになっている。
【００３８】
そして、このような眼鏡フレーム２２には、図４（ａ）及び（ｂ）に示すような補助レンズ３０を、着脱可能に取り付けることができるようになっている。
【００３９】
補助レンズ３０は、図４（ａ）及び（ｂ）に示すように、左右のレンズ部３０ａと、２つレンズ部３０ａを繋ぐ略平板状の中央部３０ｂを備えている。
【００４０】
そして、図４（ｃ）に示すように、補助レンズ３０の中央部３０ｂの図中左右方向の両端部を、眼鏡フレーム２２のブリッジ２６に設けられた２つのレンズ取付部２７の凹部２７ｄにそれぞれ配置して、レンズ取付部２７の下垂部２７ａと先端部２７ｃ（図３（ｂ）参照）で挟み込むように保持するようにして、補助レンズ３０を眼鏡フレーム２２に取り付けることができる。
【００４１】
このような補助レンズ３０は、図４（ｃ）に示すように、眼鏡フレーム２２に取り付けた際に、２つのレンズ部３０ａがそれぞれのリム２４の下側の中央寄りの位置に配置されるようになっているため、例えば、着用者の手元を拡大する拡大鏡のような用途に用いることができる。
【００４２】
また、眼鏡フレーム２２には、図５（ａ）ないし（ｃ）に示すような活用レンズ４０を、取り付けることができるようになっている。
【００４３】
活用レンズ４０は、図５（ａ）及び（ｂ）に示すように、左右のレンズ部４０ａと、２つのレンズ部４０ａを繋ぐ略平板状の中央部４０ｂと、それぞれのレンズ部４０ａの中央部４０ｂと反対側（図５（ａ）中左右両側）の部分に、レンズ部４０ａと一体的に形成された挟持部４１を備えていた。
【００４４】
活用レンズ４０の挟持部４１は、図５（ｃ）に示すように、レンズ部４０ａの中央部４０ｂと反対側の部分から外側に向けて略水平（図５（ａ）中左右方向）に伸びる側板部４１ａと、側板部４１ａの上端部から略直角に折り曲げられて、レンズ部４０ａの背面側（図５（ｂ）中上側）に向けて伸びる天板部４１ｂと、天板部４１ｂの側板部４１ａと反対側の端部から略直角に折り曲げられて下方に伸びる先端部４１ｃを備えている。
【００４５】
それにより、活用レンズ４０を横方向（図５（ａ）中左右方向）から見たときに、挟持部４１の略コ字状の凹部４１ｄが、活用レンズ４０の背面側の下方に開放されるようになっている。
【００４６】
そして、図６（ａ）に示すように、活用レンズ４０の中央部４０ｂの図中左右方向の両端部を、眼鏡フレーム２２のブリッジ２６に設けられた２つのレンズ取付部２７の凹部２７ｄにそれぞれ配置して、レンズ取付部２７の下垂部２７ａと先端部２７ｃ（図３（ｂ）参照）で挟み込むように保持すると共に、図６（ｂ）に示すように、眼鏡フレーム２２の２つのリム２４のヨロイ部２４ｂの水平部２４ｃを、活用レンズ４０に設けられた２つの挟持部４１の凹部４１ｄにそれぞれ配置して、挟持部４１の側板部４１ａと先端部４１ｃ（図５（ｃ）参照）で挟み込むように保持するようにして、活用レンズ４０を眼鏡フレーム２２に取り付けることができる。
【００４７】
このような活用レンズ４０は、図６（ａ）に示すように、眼鏡フレーム２２に取り付けた際に、２つのレンズ部４０ａがそれぞれのリム２４の前面の略全てを覆うように配置されるようになっているため、例えば、近視や乱視等の視力矯正用のレンズや、サングラスのような用途に用いることができる。
【００４８】
このような本実施の形態に係る眼鏡フレーム２２を用いることにより、部品点数を少なくして、製造工程を簡略化し、製造コストを低減することができる。
【００４９】
すなわち、眼鏡フレーム２２は、図７に示す従来の眼鏡フレーム２のようなリムロック１４を有しておらず、それにより、リム２４のリム部２４ａとヨロイ部２４ｂを一体的に形成することができるため、眼鏡フレームの部品点数を少なくすることができ、眼鏡フレームの製造工程を簡略化することができるようになっている。
【００５０】
それに加えて、眼鏡フレーム２２は、従来の眼鏡フレーム２のように、リム４のリム部４ａの内周面に溝を形成する工程も必要ないため、その分更に、製造工程を簡略化することができるようになっている。
【００５１】
また、本実施の形態に係る眼鏡フレーム２２を用いることにより、１つの眼鏡フレームのレンズを交換して様々な用途の眼鏡として用いることができる。
【００５２】
すなわち、眼鏡フレーム２２のリム２４は、ヨロイ部２４ｂにリムロックが設けられておらず、ヨロイ部２４ｂとリム部２４ａが一体的に形成されているため、リム２４の形状が単純化され、特に、ヨロイ部２４ｂの水平部２４ｃの厚さ方向（眼鏡フレーム２２の前後方向）の寸法を小さくすることができる。
【００５３】
そのため、リム２４のリム部２４ａの前面の略全てを覆うような大きなレンズであっても、図６に示す活用レンズ４０のように、挟持部４１を設けることにより、眼鏡フレーム２２に取り付けて確実に保持することができるようになっている。
【００５４】
このように、本実施の形態に係る眼鏡フレーム２２によれば、レンズを交換して様々な用途の眼鏡として用いることができると共に、部品点数を少なくして、製造工程を簡略化し、製造コストを低減することができる。
【００５５】
なお、本発明は、前記実施の形態のみに限定されるものではなく、本発明の目的を達成することができる範囲内であれば、種々の変更が可能である。
【００５６】
例えば、前記実施の形態に係る眼鏡フレーム２２においては、図１に示すように、眼鏡の着用者の鼻にあたる部分が設けられていないが、例えば、リム２４のブリッジ２６との接合部分の下方の背面側に、図７に示す従来の眼鏡フレーム２の鼻パッド８と同様の鼻パッドが設けられてもよい。
【００５７】
また、前記実施の形態に係る眼鏡フレーム２２においては、リム２４のリム部２４ａの断面が略四角形に形成されていたが、リム部２４ａの断面は四角形以外の形状、例えば、円形等に形成されていてもよい。
【００５８】
また、前記実施の形態に係る眼鏡フレーム２２においては、リム２４のリム部２４ａは、従来の眼鏡フレーム２のリム４のようにレンズ３を保持しなくてもよいため、略環状に形成されていなくてもよく、例えば、リム２４の形状が、リム部２４ａの上半分や下半分だけのような、Ｕ字状（逆Ｕ字状）等に形成されていてもよい。
【００５９】
また、前記実施の形態に係る眼鏡フレーム２２においては、活用レンズ４０の挟持部４１が、略コ字状の凹部４１ｄが活用レンズ４０の下方に開放されるような形状に形成されているが、挟持部４１によって、眼鏡フレーム２２のヨロイ部２４ｂの水平部２４ｃが保持されるようになっていれば、挟持部４１はどのような形状であってもよい。
【００６０】
例えば、挟持部４１の略コ字状の凹部４１ｄが、活用レンズ４０の上方に開放されるような形状に形成されていてもよいし、略コ字状の凹部４１ｄが、活用レンズ４０の背面側に開放されるような形状に形成されていてもよい。
【００６１】
また、前記実施の形態に係る眼鏡フレーム２２においては、補助レンズ３０や活用レンズ４０の中央部３０ｂ，４０ｂや活用レンズ４０の挟持部４１は、補助レンズ３０や活用レンズ４０のレンズ部３０ａ，４０ａと一体的に形成されていてもよいし、中央部３０ｂ，４０ｂや挟持部４１を別部材として形成して、レンズ部３０ａ，４０ａに接合するようにしてもよい。
【符号の説明】
【００６２】
２  眼鏡フレーム
３  レンズ
４  リム
４ａ  上側端部
４ｂ  下側端部
６  ブリッジ
８  鼻パッド
１０  ヨロイ
１２  テンプル
１３  丁番
１４  リムロック
１４ａ  上板部材
１４ｂ  下板部材
１４ｃ  貫通孔
１４ｄ  ネジ孔
１５  ビス
２２  眼鏡フレーム
２４  リム
２４ａ  リム部
２４ｂ  ヨロイ部
２４ｃ  水平部
２４ｄ  テンプル取付部
２５  棒状部材
２５ａ  上端部
２５ｂ  下端部
２６  ブリッジ
２７  レンズ取付部
２７ａ  下垂部
２７ｂ  底板部
２７ｃ  先端部
２７ｄ  凹部
２８  テンプル
２９  丁番
３０  補助レンズ
３０ａ  レンズ部
３０ｂ  中央部
４０  活用レンズ
４０ａ  レンズ部
４０ｂ  中央部
４１  挟持部
４１ａ  側板部
４１ｂ  天板部
４１ｃ  先端部
４１ｄ  凹部
【要約】      （修正有）【課題】レンズの交換ができると共に、部品点数を少なくし、製造工程を簡略化し、製造コストを低減した眼鏡フレームを提供する。【解決手段】眼鏡フレーム２２において、リム２４は、、リム部２４ａと一体的に形成されたヨロイ部２４ｂを備え、リム２４のリム部２４ａは、棒状部材を略環状に曲げて形成されると共に、その内周面が全周に亘って略平坦に形成され、リム２４のヨロイ部２４ｂは、略環状に曲げられた棒状部材の上端部と下端部を、リム部２４ａの外側に向かって折り曲げて、折り曲げた上端部と下端部を接合し、接合部を、その途中から眼鏡フレーム２２の背面側に向け略直角に曲げて形成され、テンプル２８が、ヨロイ部２４ｂのリム部２４ａと反対側の端部に連結され、２つのリム２４のブリッジ２６を挟んで互いに隣り合う部分に、活用レンズ４０を着脱可能に取り付けるためのレンズ取付部２７を設けた。【選択図】図６【図１】
0006764008.tif 000002
【図２】
0006764008.tif 000003
【図３】
0006764008.tif 000004
【図４】
0006764008.tif 000005
【図５】
0006764008.tif 000006
【図６】
0006764008.tif 000007
【図７】
0006764008.tif 000008